(57)【要約】【課題】  コストの上昇を抑えつつ、２画面表示の場合でも高画質な映像が表示可能な技術を提供する。【解決手段】  フレームレートが異なる複数の映像信号が入力され、かつこれらの映像を一画面上に表示する場合に、一方の映像信号のフレームレートを、他方のフレームレートと等しくなるように、いずれかの映像信号に対して、第１ＦＲＣ１０５によって、動き補償型のフレームレート変換処理を行うことを特徴とする。好ましくは、低いフレームレートを持つ映像信号を、これよりも高いフレームレートを持つ映像信号のフレームレートと合せるように、当該低いフレームレートの映像信号に対して動き補償型のフレームレート変換処理を行う。【選択図】  図１
2009111936.tif 000002
【特許請求の範囲】
【請求項１】
映像表示装置において、
第１の映像信号が入力される第１の信号入力部と、
該第１の映像信号とは異なるフレームレートを持つ第２の映像信号が入力される第２の信号入力部と、
前記第１の信号入力部に入力された第１の映像信号と前記第１の信号入力部に入力された第２の映像信号のいずれか一方の映像信号からの動き情報に基づき補間フレームを作成し、該補間フレームを該一方の映像信号のフレーム列に挿入してフレームレートを変換するフレームレート変換部と、
前記フレームレート変換部によりフレームレート変換された映像信号に基づく映像が表示される表示部と、を備え、
前記第１の映像信号に基づく映像と前記第２の映像信号に基づく映像とを合せて前記表示部に表示する複数画面表示モードの場合に、前記フレームレート変換部は、前記第１または第２の映像信号のいずれか一方のフレームレートを、他方の映像信号のフレームレートに合せるように変換することを特徴とする映像表示装置。
【請求項２】
請求項１に記載の映像表示装置において、前記複数画面表示モードは、前記第１の映像信号に基づく映像と前記第２の映像信号に基づく映像とをそれぞれ等しいサイズにして並列表示する並列表示モードを含むことを特徴とする映像表示装置。
【請求項３】
請求項１に記載の映像表示装置において、前記複数画面表示モードは、前記第１の映像信号に基づく映像と前記第２の映像信号に基づく映像のいずれか一方を親画面とし、他方を子画面とするＰｉｎＰモードを含むことを特徴とする映像表示装置。
【請求項４】
映像表示装置において、
第１のフレームレートを持つ第１の映像信号が入力される第１の信号入力部と、
前記第１のフレームレートよりも高い第２のフレームレートを持つ第２の映像信号が入力される第２の信号入力部と、
前記第１の信号入力部に入力された第１の映像信号と前記第１の信号入力部に入力された第２の映像信号のいずれか一方の映像信号からの動き情報に基づき補間フレームを作成し、該補間フレームを該一方の映像信号のフレーム列に挿入してフレームレートを変換するフレームレート変換部と、
前記フレームレート変換部によりフレームレート変換された映像信号に基づく映像が表示される表示部と、を備え、
前記第１の映像信号に基づく映像と前記第２の映像信号に基づく映像とを前記表示部に一画面上に表示する場合に、前記フレームレート変換部は、前記第１の映像信号のフレームレートを、前記第２のフレームレートに変換することを特徴とする映像表示装置。
【請求項５】
請求項４に記載の映像表示装置において、前記第１の映像信号に基づく映像を単画面表示する場合は、前記フレームレート変換部は、前記第１の映像信号のフレームレートを、前記第２のフレームレートに変換することを特徴とする映像表示装置。
【請求項６】
請求項４に記載の映像表示装置において、前記第２の映像信号に基づく映像を単画面表示する場合は、前記第２の映像信号に対して前記フレームレート変換部によりフレームレート変換されないことを特徴とする映像表示装置。
【請求項７】
映像表示装置において、
第１の映像信号が入力される第１の信号入力部と、
第２の映像信号が入力される第２の信号入力部と、
前記第１の信号入力部に入力された第１の映像信号と前記第１の信号入力部に入力された第２の映像信号のいずれか一方の映像信号に基づき補間フレームを作成し、該補間フレームと、該一方の映像信号のオリジナルフレームとを組み合わせて新たなフレーム列の信号を出力するための変換処理を行うフレームレート変換部と、
前記フレームレート変換部により変換処理された映像信号に基づく映像が表示される表示部と、を備え、
前記第１の映像信号に基づく映像と前記第２の映像信号に基づく映像とを前記表示部に２画面表示する場合で、かつ該２画面のうち音声を出力するように選択された一方の映像に対応する映像信号がシネマ形式である場合に、前記フレームレート変換部は、該一方の映像に対応する映像信号に対して、前記変換処理を行うことを特徴とする映像表示装置。
【請求項８】
請求項７に記載の映像表示装置において、前記シネマ形式の映像信号は、フレームレートが２４Ｈｚのシネマ信号であり、前記フレームレート変換部は、前記変換処理として、前記シネマ信号に含まれるオリジナルフレーム列に前記補間フレームを挿入して前記２４Ｈｚよりも高いフレームレートに変換する処理を行うことを特徴とする映像表示装置。
【請求項９】
請求項７に記載の映像表示装置において、他方の映像に対応する映像信号が、フレームレートが２４Ｈｚのシネマ信号である場合、前記フレームレート変換部は、前記変換処理として、該他方の映像信号に含まれるオリジナルフレームと同一のフレームを前記補間フレームとして生成し、該他方の映像信号に含ま高いフレームレートに変換する処理を行うことを特徴とする映像表示装置。
【請求項１０】
請求項７に記載の映像表示装置において、前記２４Ｈｚよりも高いフレームレートは、６０Ｈｚであることを特徴とする映像表示装置。
【請求項１１】
請求項７に記載の映像表示装置において、前記一方の映像もしくは該一方の映像の近傍に、音声出力を示すアイコンを付加して表示することを特徴とする映像表示装置。
【請求項１２】
請求項７に記載の映像表示装置において、前記２画面表示は、前記第１の映像信号に基づく映像と前記第２の映像信号に基づく映像とをそれぞれ等しいサイズにして並列表示する並列表示モードを含むことを特徴とする映像表示装置。
【請求項１３】
請求項７に記載の映像表示装置において、前記２画面表示は、前記第１の映像信号に基づく映像と前記第２の映像信号に基づく映像のいずれか一方を親画面とし、他方を子画面とするＰｉｎＰモードを含むことを特徴とする映像表示装置。
【発明の詳細な説明】
【技術分野】
【０００１】
本発明は、例えばテレビジョン表示装置等の映像表示装置に係り、特に、複数の異なる映像信号の映像を一画面上に表示する（いわゆる２画面表示）する場合に、表示映像の画質を向上するための技術に関する。
【背景技術】
【０００２】
映像表示装置において、入力映像信号のフレームレート（垂直周波数）を所望のフレームレートに変換して表示する技術としては、例えば特許文献１に記載のものが知られている。この特許文献１は、入力映像信号に含まれる複数のフレームから映像の動きを考慮した補間フレームを作成し、この補間フレームを入力映像信号のフレーム列に挿入することによって動画の動きを滑らかにするフレームレート変換処理の技術を開示している。
【０００３】
【特許文献１】特開２００６−１６５６０２号公報
【発明の開示】
【発明が解決しようとする課題】
【０００４】
特許文献１に記載のものは、複数の異なる映像信号の映像を一画面上に表示する（いわゆる２画面表示）場合についてのフレームレート変換処理については考慮されていない。２画面表示時にいずれの映像も上述したような映像の動きを考慮したフレームレート変換処理（以下、このフレームレート変換処理を「動き補償型フレームレート変換処理」と称する）を行わない場合、特に各映像に対応する映像信号のフレームレートが互いに異なる場合（例えば一方の映像信号のフレームレートが５０Ｈｚで、他方の映像信号のフレームレートが６０Ｈｚ）に、モーションジャダーが発生し、見づらい画面となる。
【０００５】
かかるモーションジャダーの発生を抑制するために、２画面表示時にそれぞれの映像について動き補償型フレームレート変換処理を行おうとすると、動き補償型フレームレート変換処理の回路を２系統設ける必要があり、回路構成が複雑になるばかりかコストの上昇につながる。
【０００６】
本発明は、上記の課題に鑑みて為されたものであり、その目的は、コストの上昇を抑えつつ、２画面表示の場合でも高画質な映像が表示可能な技術を提供することにある。
【課題を解決するための手段】
【０００７】
上記目的を達成するために、本発明では、特許請求の範囲に記載された構成を特徴とするものである。すなわち、本発明は、フレームレートが異なる複数の映像信号が入力され、かつこれらの映像を一画面上に表示する場合に、一方の映像信号のフレームレートを、他方のフレームレートと等しくなるように、いずれかの映像信号に対して動き補償型のフレームレート変換処理を行うことを特徴とするものである。好ましくは、低いフレームレートを持つ映像信号を、これよりも高いフレームレートを持つ映像信号のフレームレートと合せるように、当該低いフレームレートの映像信号に対して動き補償型のフレームレート変換処理を行うものである。
【発明の効果】
【０００８】
本発明によれば、コストの上昇を抑えつつ、２画面表示の場合でも高画質な映像が表示可能となる。
【発明を実施するための最良の形態】
【０００９】
以下、本発明の実施形態について、図面を参照しながら説明する。尚、各図において、同一の符号が付された要素は同一の機能もしくは動作をもつものとし、その重複した説明は省略するものとする。
【実施例１】
【００１０】
先ず、本発明の第１実施例について、図１、４、５、７及び８を参照しつつ説明する。図１は、本発明に係る映像表示装置の第１実施例のブロック図を示している。図１において、例えばデジタルテレビジョン放送信号は、アンテナ１００により受信され、チューナ１０１により所望のチャンネルが選局される。ここで、チューナ１０１で選局されるデジタルテレビジョン放送信号は、例えばＭＰＥＧ２により圧縮符号化されたトランスポートストリームであり、映像ストリームと音声ストリーム、更には、当該受信チャンネルのテレビジョン番組に関する情報を含んでいる。このトランスポートストリームは、図示しないデジタル復調器により復調され、かつデジタル復号器により復号され、デジタル映像信号・音声信号としてスイッチ２１及びスイッチ２２の接点Ａにそれぞれ出力される。尚、本実施例において、チューナ１０１からの映像信号は、例えばフレームレート(垂直周波数)が５０Ｈｚの信号であり、以下、第１映像信号と称するものとする。
【００１１】
一方、ＤＶＤプレーヤやハードディスクレコーダなどの外部映像出力機器から出力された映像・音声信号は、例えばＨＤＭＩ(High Definition Multimedia Interface)などのデジタルインターフェイスケーブルを介して外部映像入力端子１０２に入力される。この外部映像入力端子１０２に入力された信号は、スイッチ２１とスイッチ２２の接点Ｂにそれぞれ供給される。尚、本実施例において、外部映像入力端子１０２に入力される信号は、例えばフレームレート(垂直周波数)が６０Ｈｚの信号であり、以下、第２映像信号と称するものとする。また、以下の第１実施例の説明では、入力された信号のうち、映像信号に対する処理についてのみ説明し、音声信号に対する処理についての説明は省略する。
【００１２】
スイッチ２１及びスイッチ２２は、ユーザにより選択された表示モードに応じて第１映像信号または第２映像信号を選択して出力するものである。本実施例では、この表示モードは、例えば（１）第１映像信号に基づく映像のみを表示する第１単画面表示モード、（２）第２映像信号に基づく映像のみを表示する第２単画面表示モード、及び（３）第１及び第２の映像信号を同一画面上に同時に表示する２画面表示モード、を含むものとする。上記スイッチ２１及び２２による映像信号の選択は、制御回路であるマイコン１０９からの制御信号により制御される。各表示モードに対応した各部の動作は後述するものとし、先ずは各部の基本的な動作について説明する。
【００１３】
スイッチ２１で選択された第１または第２の映像信号は、第１ＩＰ変換回路１０３に入力される。この第１ＩＰ変換回路１０３は、それに入力された映像信号がインターレース走査形式である場合に、それを順次走査（プログレッシブ走査）形式の信号に変換するものである。以下、このプログレッシブ走査形式への信号処理をＩＰ変換処理と称する。また第１ＩＰ変換回路１０３は、上記２画面表示モードにおいて、主画面（Ｍａｉｎ）となる映像信号に対してＩＰ変換処理を行うものとする。第２ＩＰ変換回路も同様に、スイッチ２２で選択された第１または第２の映像信号がインターレース走査形式である場合に、それをプログレッシブ走査形式の信号に変換する。第２ＩＰ変換回路１０４は、上記２画面表示モードにおいて、副画面（Ｓｕｂ）となる映像信号に対してＩＰ変換処理を行うものとする。
【００１４】
第１ＩＰ変換回路１０３でプログレッシブ走査形式に変換された映像信号は、スイッチ２３の接点Ａ及びスイッチ２４の接点Ａに供給される。一方、第２ＩＰ変換回路１０４でプログレッシブ走査形式に変換された映像信号は、スイッチ２３の接点Ｂ及びスイッチ２５の接点Ｂに供給される。
【００１５】
スイッチ２３は、第１ＩＰ変換回路からの出力信号と第２ＩＰ変換回路からの出力信号とのいずれか一方を、マイコン１０９からの制御信号に応じて選択して第１フレームレート変換部(Frame Rate Converter。以下、ＦＲＣと略す)１０５に出力する。
【００１６】
第１ＦＲＣ１０５は、それに入力された映像信号に対し、前述の動き補償型のフレームレート変換を行うための要素であり、本実施例では、第１ＦＲＣ１０５は、映像の動きを考慮して、フレームレートを５０Ｈｚから６０Ｈｚに変換する機能を備えている。具体的には、第１ＦＲＣ１０５は、スイッチ２３で選択された映像信号に基づいて補間フレームを作成し、その補間フレームと、スイッチ２３で選択された映像信号に含まれえるオリジナルのフレーム列とを組み合わせてフレームレートを変換するものである。
【００１７】
ここで、第１ＦＲＣ１０５は、それに入力される映像信号に含まれるオリジナルフレームのうち少なくとも２つのフレームから映像の動きの方向を検出し、その動きの方向を示す直線上に存在する当該２つのフレームの画素データから補間画素を作成する。そして、この補間画素の作成を、補間フレームを構成する全ての画素について行うことで、当該２つのフレーム間に挿入される補間フレームを作成するものである。このようにして作成された補間フレームは、上述のようにスイッチ２３で選択された映像信号のオリジナルフレームと組み合わされる。
【００１８】
例えば、スイッチ２３からの映像信号に含まれる５枚のオリジナルフレーム列毎に１枚の補間フレームを挿入することで、映像の動きに応じて、当該映像信号のフレームレートを５０Ｈｚから６０Ｈｚに変換することが出来る。
【００１９】
また、スイッチ２３からの映像信号に含まれる５枚のオリジナルフレームのうち、４枚を５枚の補間フレームと置き換えることによって当該映像信号のフレームレートを５０Ｈｚから６０Ｈｚに変換してもよい。当然、フレームレートが６０Ｈｚに変換された信号の各フレームの間隔は、オリジナルの映像信号（フレームレートが５０Ｈｚの信号）の各フレームの間隔よりも短くされる。このようにすることによって、映像信号に含まれる５枚のオリジナルフレーム列毎に１枚の補間フレームを挿入する場合よりも、フレームレート変換後の映像をより滑らかにすることが出来る。上述した補間画素及び補間フレームの作成の詳細については、上述した特許文献１に詳細に説明されているので、ここでは、これ以上の詳細な説明は省略するものとする。
【００２０】
第１ＦＲＣ１０５により動き補償型のフレームレート変換された映像信号は、スイッチ２４の接点Ｂ、及びスイッチ２５の接点Ａに入力される。スイッチ２４では、接点Ｂに入力された第１ＦＲＣ１０５からの信号と、接点Ａに入力された第１ＩＰ変換回路１０３とのいずれかを選択して第１スケーラ１１１に供給する。一方、スイッチ２５では、接点Ａに入力された第１ＦＲＣ１０５からの信号と、接点Ｂに入力された第２ＩＰ変換回路１０４とのいずれかを選択して第２スケーラ１１２に供給する。これら、スイッチ２４及びスイッチ２５における映像信号の選択は、表示モードに応じてマイコン１０９からの制御信号により制御される。
【００２１】
第１スケーラ１１１及び第２スケーラ１１２は、必要に応じ、それに入力された映像信号の水平及び／または垂直方向のピクセル数を、映像表示部１１６における例えばＬＣＤ(Liquid Crystal Display)パネルやＰＤＰ(Plasma Display Panel)等の固定画素を持つ表示パネルの精細度と一致するように制御する。以下、このような映像信号のピクセル数の制御処理を、スケーリング処理と呼ぶものとする。また、上述した２画面表示モードの際には、第１及び第２スケーラ１１１及び１１２は、それぞれ所定の画面サイズに適合するようにスケーリング処理を行う。第１スケーラ１１１及び第２スケーラ１１２におけるスケーリング処理は、表示モードに応じてマイコン１０９からの制御信号により制御される。
【００２２】
第１スケーラ１１１及び第２スケーラ１１２によってそれぞれスケーリング処理された映像信号は、合成器１１３によって合成され、２画面表示の際にそれぞれの映像信号の映像が同一画面上に表示される。上記第１または第２単画面表示モードでは、この合成器１１３による映像信号の合成は行われない。この合成器１１３による映像信号の合成も、表示モードに応じてマイコン１０９からの制御信号により制御される。
【００２３】
合成器１１３によって合成された映像信号は、第２ＦＲＣ１１７によって更なる動き補償型のフレームレート変換処理が為される。この第２ＦＲＣ１１７が第１ＦＲＣ１０５と異なる点は、第１ＦＲＣ１０５がフレームレートを５０Ｈｚから６０Ｈｚに変換するのに対し、第２ＦＲＣ１１７は、フレームレートを６０Ｈｚから１２０Ｈｚに変換する点である。この第２ＦＲＣ１１７におけるフレームレート変換は、合成器１１３からの映像信号に含まれるフレーム列のうち、１つのフレームごとに補間フレームを挿入することでフレームレートを２倍（すなわち１２０Ｈｚ）にしている。この第２ＦＲＣ１１７における補間画素並びに補間フレームの作成の仕方は、第１ＦＲＣ１０５と同様であるものとする。
【００２４】
このように本実施例では、映像表示装置に入力される映像信号が５０Ｈｚの場合に、そのフレームレートを２回アップコンバートすることでフレームレートを１２０Ｈｚにするものである。この処理は、映像表示部１１６が有する表示パネルがＬＣＤであり、かつ１２０Ｈｚのフレームレートに対応して駆動可能である場合に有用である。このようにすることにより、ＬＣＤ特有の動画のボケ（つまり残像感）を低減することが可能となる。表示パネルがＰＤＰで、かつ６０Ｈｚのフレームレートに対応して動作する場合は、第２ＦＲＣ１１７は不要である。
【００２５】
第２ＦＲＣ１１７からの出力信号は、画質補正回路１１４によって、コントラスト補正、ガンマ補正、色補正などの各種画質補正処理が為され、パネル駆動回路１１５に供給される。パネル駆動回路１１５は、画質補正回路１１４からの出力信号に基づいて映像表示部１１６の表示パネルに映像を形成するのに適したタイミングで表示パネルを駆動する。これによって、映像表示部１１６には入力された映像信号に基づく画像が表示される。
【００２６】
このような構成の映像表示装置は、リモートコントローラ(以下、リモコンと略す)１０８からのリモコン信号によって制御もしくは操作される。すなわち、リモコン１０８からのリモコン信号は、リモコン受光部１１０で受信され、マイコン１０９に送信される。マイコン１０９は、受信されたリモコン信号に含まれるコマンドを解析し、この解析したコマンドに基づき各要素を制御する。
【００２７】
本実施例に係る映像表示装置に使用されるリモコンの一例が図４に示される。図４において、電源ボタン１０８０は、映像表示装置の電源を入れるためのものであり、映像表示装置が待機状態において電源ボタン１０８０が押されると、マイコン１０９が起動して動作状態になるとともに、図１に示された各要素に電源が供給され、映像表示部１１６には、装置に入力された映像信号並びに現在選択されている表示モードに基づき映像が表示される。入力切替ボタン１０８１は、映像表示装置に入力される映像信号を切り替えるものである。装置の初期状態においては、装置に入力される映像信号はチューナ１０１で選局されたテレビジョン信号が選択されており、例えば入力切替ボタン１０８１を一回押すと、入力映像信号がテレビジョン信号から外部入力端子１０２に入力される映像信号(すなわち外部映像出力機器からの映像信号)に切り替わる。更にもう一回押すと、図示しない別の外部入力端子への入力映像信号、または再びチューナ１０１で選局されたテレビジョン信号に切り替わる。数字１〜１２が付されたボタンはチャンネルボタン１０８２であり、このチャンネルボタン１０８２に対する操作によって、それぞれのボタンに付された数字、もしくは複数のボタンに付された数字の組み合わせに対応するチャンネル番号のテレビジョン信号が選択される。
【００２８】
方向キー１０８４は、映像表示部１１６に表示された、例えばカーソルを移動するためのものであり、このカーソルを方向キー１０４で移動させて、例えば表示されたメニュー画面から任意の項目、または複数の画面から任意の一つの画面を選択する。決定ボタン１０８３は、方向キーで選択された項目または画面に対し、所望の動作を実行させるための決定を行うものであり、例えば表示されたメニュー画面から所望の項目を方向キー１０８４によって選択し（すなわちカーソルを合わせ）、決定ボタン１０８３を押すと、その選択された項目に対応する機能、動作を実行する。
【００２９】
音量キー１０８５は、映像表示装置から出力される音声のボリュームを調整するものである。またチャンネルキー１０８８は、チャンネルボタン１０８２に代わってチャンネルを選局するものであり、その上方向ボタンを押すたびにチャンネル番号が１ずつ上がり、下方向ボタンを押すたびにチャンネル番号が１ずつ下がるようになっている。キャンセルボタン１０８６は、現在実行中の機能や動作を取り消すもので、例えばメニュー画面の表示時にキャンセルボタン１０８６が押されると、メニュー画面が画面上から消えて通常の画面が表示される。
【００３０】
２画面ボタン１０８７は、上述した２画面表示モードを実行させるためのボタンである。例えばチューナ１０１で受信されたテレビジョン信号の映像のみを表示する第１単画面モードにおいて２画面ボタン１０８７を押すと、外部映像入力端子１０２に外部映像出力機器からの映像信号が入力されている場合は、例えば図５に示されるような２画面表示モードとなる。この２画面表示モードは、本実施例では例えば２種類のモードを含んでいるものとする。一つは、図５の左側に示されているように、例えば第２映像信号（外部映像入力）を主画面(Ｍａｉｎ)、すなわち親画面とし、第１映像信号（テレビジョン信号）を親画面より表示サイズの小さい副画面（Ｓｕｂ）、すなわち子画面としたＰｉｎＰ表示モードである。もう一つは、図５の右側に示されているように、第２映像信号の映像をＭａｉｎとし、第１映像信号の映像をＳｕｂとしながらも、それぞれの映像の表示サイズを互いに等しくするとともに、これらを左右に並べて表示する並列表示モードである。この並列表示モードにおいて、各画面のアスペクト比がオリジナルのアスペクト比を保つように、ＭａｉｎとＳｕｂの画面の上下には、左右方向に延びる横長の黒帯が付加されている。尚、２画面表示モードにおいて、再度２画面ボタン１０８７を押すと、第１単画面表示モードに移行するようにしてもよい。また、２画面表示ボタンが押されたときに外部映像入力端子１０２に映像信号が入力されていない場合は、２画面表示モードに移行しない（すなわち単画面表示モードを継続する）ように制御してもよく、２画面表示モードに移行するも、図５のＭａｉｎ画面をブランク表示とするようにしてもよい。
【００３１】
本実施例では、このように構成された映像表示装置において、２画面表示モードの場合で、かつ第１映像信号（チューナ１０１で受信したテレビジョン信号）と第２映像信号（外部映像入力端子１０２に入力される映像信号）とのフレームレートが互いに異なる場合に、第１及び第２映像信号のいずれかフレームレートが低い方の信号（例えばフレームレートが５０Ｈｚの第１映像信号）を高い方の信号（例えばフレームレートが６０Ｈｚの第２映像信号）のフレームレートに合せるように、第１ＦＲＣ１０５でフレームレート変換することを特徴とするものである。以下、この動作の詳細について、上述した各表示モードの動作とともに説明する。
（１）第１単画面表示モードの動作
この表示モードは、上述したように、チューナ１０１で受信された第１映像信号のみを映像表示装置１１６の表示画面の全面に表示するモードである。この表示モードの動作について、図７を参照しつつ説明する。尚、このモードは、デフォルトの表示モードであり、電源投入後、リモコン１０８の入力切替ボタン１０８１が押されず、かつ２画面ボタン１０８７が押されない場合は、自動的に第１単画面表示モードとされる。
【００３２】
ここで、入力された第１映像信号のフレームレートが５０Ｈｚであるものとする。第１周波数検出部１０６は、チューナ１０１からの映像信号に含まれる同期情報から、第１映像信号にフレームレート（すなわち垂直周波数）が５０Ｈｚであると検出する。マイコン１０９は、この第１周波数検出部１０６からの検出情報及び現在の表示モードの種類（この例では第１単画面表示モード）に基づいて、図７に示されたテーブルから適切なテーブルを選択する。図７に示されたテーブルは、例えばマイコン１０９に内蔵されたメモリに格納される。この場合は、図７の（ａ）のテーブルが選択される。マイコン１０９は、テーブル（ａ）を参照してスイッチ２１〜２５をそれぞれ制御する。すなわち、マイコン１０９は、スイッチ２１及び２３は接点Ａを、スイッチ２２、２４及び２５は接点Ｂを選択するように制御する。このような各スイッチへの制御により、第２ＩＰ変換回路１０４には第１映像信号が供給されない状態となる。また、第２映像信号が入力されている状態でも第２映像信号の映像は表示されないようにするため、追加的に、マイコン１０９によって第２ＩＰ変換回路１０４が非動作状態となるように制御される。
【００３３】
テーブル（ａ）による各スイッチへの制御の結果、第１映像信号は、スイッチ２１を経由して第１ＩＰ変換回路１０３に供給され、その第１映像信号がインターレース走査形式の場合は第１ＩＰ変換回路１０３によって順次走査形式に変換される。またスイッチ２３は接点Ａを選択するように制御されているので、第１ＩＰ変換回路１０３からの出力信号は、第１ＦＲＣ１０５によって上述したような動き補償型のフレームレート変換処理が施されて、そのフレームレートが５０Ｈｚから６０Ｈｚに変換される。
【００３４】
この動き補償型のフレームレート変換処理がされた信号は、スイッチ２４が接点Ｂを選択するように制御されているので、第１スケーラ１１１に入力される。ここで、スイッチ２５は接点Ｂを選択しているが、第２ＩＰ変換回路１０４は非動作状態とされているので、第２スケーラ１１２の入力信号は０となっている。このため、マイコン１０９の制御によって、第２スケーラ１１２は非動作状態となるように制御される。更に、現在の表示モードは単画面表示モードであるため、更にマイコン１０９によって、合成器１１３で映像の合成処理が行われないように制御される。
【００３５】
よって、第１ＦＲＣ１０５でフレームレート変換された第１映像信号は、第１スケーラ１１１によって２画面表示モードに適した画面サイズにするためのスケーリング処理（すなわち縮小処理）は施されず、必要に応じ、表示パネルの精細度に応じたスケーリング処理が施される。
【００３６】
このような動作により、第１映像信号のみの映像が、動き補償型のフレームレート変換処理により、そのフレームレートが５０Ｈｚから６０Ｈｚに変換されて表示される。これ以降の動作は、前述したとおりであり、ここでは繰り返しの説明は省略する。
【００３７】
一方、入力された第１映像信号のフレームレートが６０Ｈｚである場合は、第１周波数検出部１０６は、チューナ１０１からの映像信号に含まれる同期情報から、第１映像信号にフレームレート（すなわち垂直周波数）が６０Ｈｚであると検出する。マイコン１０９は、この第１周波数検出部１０６からの検出情報及び現在の表示モードの種類（この例では第１単画面表示モード）から、スイッチ２１〜２５への制御モードを、例えば図７に示された制御テーブルから選択する。この場合は、図７の（ｂ）のテーブルが選択される。テーブル（ｂ）がテーブル（ａ）と異なる点は、スイッチ２３が接点Ｂを、スイッチ２４が接点Ａを選択するように制御する点である。他のスイッチの制御についてはテーブル（ａ）と同一である。
【００３８】
この結果、第１ＩＰ変換回路１０３からの出力信号は、第１ＦＲＣ１０５をバイパスし、スイッチ２４の接点Ａを経由して第１スケーラ１１１に入力される。第１ＦＲＣ１０５には、第２ＩＰ変換回路１０４からの出力信号として、０の信号が入力されるため、フレームレート変換が実行されない。よって、追加的に、マイコン１０９によって第１ＦＲＣ１０５を非動作状態とすることが好ましい。
【００３９】
すなわち、第１映像信号のフレームレートが６０Ｈｚの場合は、第１映像信号はフレームレート変換処理されずに、第１スケーラ１１１によって上述のようなスケーリング処理が施される。これ以降の動作は、第１映像信号のフレームレートが５０Ｈｚの場合と同様なので省略する。
【００４０】
このような動作により、第１映像信号のみの映像が、動き補償型のフレームレート変換処理されずに（つまりフレームレートが６０Ｈｚのまま）表示される。
【００４１】
尚、第１周波数検出回路１０６は、チューナ１０１からの出力信号からフレームレート（垂直周波数）を検出するようにしたが、第１ＩＰ変換回路１０３からの出力信号から検出するようにしてもよい。また、第１ＩＰ変換回路１０３は、第１映像信号が順次走査形式であれば、順次走査形式変換するための処理は実行しない。
（２）第２単画面表示モードの動作
この表示モードは、上述したように、外部映像入力端子１０２に入力された第２映像信号のみを映像表示装置１１６の表示画面の全面に表示するモードである。この表示モードの動作について、図７を参照しつつ説明する。尚、このモードは、第１単画面表示モードにおいて、リモコン１０８の入力切替ボタン１０８１が押された場合に第２単画面表示モードとされる。
【００４２】
ここで、入力された第２映像信号のフレームレートが５０Ｈｚであるものとする。第２周波数検出部１０７は、外部映像入力端子１０２からの映像信号に含まれる同期情報から、第２映像信号にフレームレート（すなわち垂直周波数）が５０Ｈｚであると検出する。マイコン１０９は、この第２周波数検出部１０７からの検出情報及び現在の表示モードの種類（この例では第２単画面表示モード）から、スイッチ２１〜２５への制御モードを、例えば図７に示された制御テーブルから選択する。この場合は、図７の（ｃ）のテーブルが選択される。マイコン１０９は、テーブル（ｃ）を参照してスイッチ２１〜２５をそれぞれ制御する。すなわち、マイコン１０９は、スイッチ２１、２４及び２５は接点Ｂを、スイッチ２２及び２３は接点Ａを選択するように制御する。つまり、テーブル（ｃ）はテーブル（ａ）に比べ、スイッチ２１と２２がそれぞれ逆の接点を選択している点で相違し、他のスイッチの選択は同一である。このような各スイッチへの制御により、第２ＩＰ変換回路１０４には第２映像信号が供給されない状態となる。また、第１映像信号の映像は表示されないようにするため、追加的に、マイコン１０９によって第２ＩＰ変換回路１０４が非動作状態となるように制御される。
【００４３】
テーブル（ｃ）による各スイッチへの制御の結果、第２映像信号は、スイッチ２１を経由して第１ＩＰ変換回路１０３に供給され、その第１映像信号がインターレース走査形式の場合は第１ＩＰ変換回路１０３によって順次走査形式に変換される。またスイッチ２３は接点Ａを選択するように制御されているので、第１ＩＰ変換回路１０３からの出力信号、すなわちＩＰ変換処理された第２映像信号は、第１ＦＲＣ１０５によって上述したような動き補償型のフレームレート変換処理が施されて、そのフレームレートが５０Ｈｚから６０Ｈｚに変換される。これ以降の動作は、上述したテーブル（ａ）と同様であるため省略する。
【００４４】
このような動作により、第２映像信号のみの映像が、動き補償型のフレームレート変換処理により、そのフレームレートが５０Ｈｚから６０Ｈｚに変換されて表示される。
【００４５】
一方、入力された第２映像信号のフレームレートが６０Ｈｚである場合は、第２周波数検出部１０７は、外部映像入力端子１０２からの映像信号に含まれる同期情報から、第２映像信号にフレームレートが６０Ｈｚであると検出する。マイコン１０９は、この第２周波数検出部１０７からの検出情報及び現在の表示モードの種類（この例では第２単画面表示モード）から、スイッチ２１〜２５への制御モードを、例えば図７に示された制御テーブルから選択する。この場合は、図７の（ｄ）のテーブルが選択される。テーブル（ｄ）がテーブル（ｃ）と異なる点は、スイッチ２３が接点Ｂを、スイッチ２４が接点Ａを選択するように制御する点である。他のスイッチの制御についてはテーブル（ｃ）と同一である。
【００４６】
この結果、第１ＩＰ変換回路１０３からの出力信号は、第１ＦＲＣ１０５をバイパスし、スイッチ２４の接点Ａを経由して第１スケーラ１１１に入力される。第１ＦＲＣ１０５には、第２ＩＰ変換回路１０４からの出力信号として、０の信号が入力されるため、フレームレート変換が実行されない。よって、追加的に、マイコン１０９によって第１ＦＲＣ１０５を非動作状態とすることが好ましい。
【００４７】
このような動作により、第２映像信号のみの映像が、動き補償型のフレームレート変換処理されずに（つまりフレームレートが６０Ｈｚのまま）表示される。
【００４８】
すなわち、第２映像信号のフレームレートが６０Ｈｚの場合は、第２映像信号はフレームレート変換処理されずに、第１スケーラ１１１によって上述のようなスケーリング処理が施される。これ以降の動作は、第２映像信号のフレームレートが５０Ｈｚの場合と同様なので省略する。
【００４９】
尚、第２周波数検出回路１０７は、外部入力端子１０２からの出力信号からフレームレート（垂直周波数）を検出するようにしたが、第１ＩＰ変換回路１０３からの出力信号から検出するようにしてもよい。
（３）２画面表示モードの動作
次に、２画面表示モードの動作について説明する。第１または第２の単画面表示モード時に図４に示されたリモコン１０８の２画面ボタン１０８７が押されると、表示モードを第１または第２の単画面表示モードから２画面表示モードに移行される。
【００５０】
まず、第１映像信号としてフレームレートが５０Ｈｚの映像信号が、第２映像信号としてフレームレートが６０Ｈｚの映像信号が入力されている場合について説明する。このとき、第１周波数検出回路１０６は、第１映像信号のフレームレートが５０Ｈｚであることを検出し、第２周波数検出回路は、第２映像信号のフレームレートが６０Ｈｚであることを検出する。そしてマイコン１０９は、これら周波数検出回路の検出結果、及び現在の表示モードの種類（ここでは２画面表示モード）に応じて、図８に示されたテーブルから上段のテーブル（以下、便宜上「上テーブル」と呼ぶ場合もある）を選択する。図８に示されたテーブルもまた、例えばマイコン１０９に内蔵されたメモリに格納される。マイコン１０９は、上テーブルを参照してスイッチ２１〜２５をそれぞれ制御する。すなわち、マイコン１０９は、スイッチ２１及び２３は接点Ｂを、スイッチ２２、２４及び２５は接点Ａを選択するように制御する。
【００５１】
その結果、フレームレートが５０Ｈｚの第１映像信号は、スイッチ２２を介して第２ＩＰ変換回路１０４に供給され、第２ＩＰ変換回路１０４によって必要に応じて順次走査形式に変換された後、スイッチ２３を介して第１ＦＲＣ１０５に供給される。第１ＦＲＣ１０５では、このＩＰ変換処理された信号を動き補償型のフレームレート変換処理をしてフレームレートを５０Ｈｚから６０Ｈｚに変換する。このフレームレート変換された信号は、スイッチ２５を経由して第２スケーラ１１２に供給される。第２スケーラ１１２では、この動き補償型のフレームレート変換された信号について、２画面表示に適した縮小スケーリング処理を行う。例えば図５の左側に示されるＰｉｎＰモードでは、所定の大きさに設定された副画面のサイズに合うように縮小される。また、図５の右側に示される並列表示モードでは、垂直、水平方向のサイズをそれぞれ半分に縮小する。
【００５２】
一方、フレームレートが６０Ｈｚの第２映像信号は、スイッチ２１を介して第１ＩＰ変換回路１０３に供給され、第１ＩＰ変換回路１０３によって必要に応じて順次走査形式に変換された後、第１ＦＲＣ１０５をバイパスして（フレームレート変換が為されずに）スイッチ２４を経由して第１スケーラ１１１に供給される。
【００５３】
マイコン１０９は、現在の表示モードが２画面表示モードなので、合成器１１３を動作させて、第１スケーラ１１１及び第２スケーラ１１２からの信号を合成するように制御する。よって、各スケーラでスケーリング処理された映像信号は、合成器１１３で合成され、先に述べたような処理で２画面表示される。
【００５４】
このような動作の結果、この２画面表示モードにおいて、映像表示装置１１６には前述したような図５に示される映像が表示される。その一つの例であるＰｉｎＰモードの場合は、図５の左側に示されるように、親画面（Ｍａｉｎ）にフレームレートが６０Ｈｚの第２映像信号の映像が表示され、その親画面より表示サイズが小さくされた子画面（Ｓｕｂ）にフレームレートが５０Ｈｚから６０Ｈｚに変換されて動きが滑らかにされた第１映像信号の映像が表示される。またもう一つの例である並列表示モードの場合は、図５の右側に示されるように、主画面（Ｍａｉｎ）にフレームレートが６０Ｈｚの第２映像信号の映像が表示され、その主画面と等しい表示サイズの副画面（Ｓｕｂ）にフレームレートが５０Ｈｚから６０Ｈｚに変換されて動きが滑らかにされた第１映像信号の映像が表示される。
【００５５】
これとは逆に、第１映像信号としてフレームレートが６０Ｈｚの映像信号が、第２映像信号としてフレームレートが５０Ｈｚの映像信号が入力された場合、第１周波数検出回路１０６は、第１映像信号のフレームレートが６０Ｈｚであることを検出し、第２周波数検出回路は、第２映像信号のフレームレートが５０Ｈｚであることを検出する。そしてマイコン１０９は、これら周波数検出回路の検出結果、及び現在の表示モードの種類（２画面表示モード）に応じて、図８に示されたテーブルから下段のテーブル（以下、便宜上「下テーブル」と呼ぶ場合もある）を選択する。よって、マイコン１０９は、下テーブルを参照してスイッチ２１〜２５をそれぞれ制御する。すなわち、マイコン１０９は、スイッチ２１、２４及び２５は接点Ｂを、スイッチ２２及び２３は接点Ａを選択するように制御する。
【００５６】
その結果、フレームレートが６０Ｈｚの第１映像信号は、スイッチ２２を介して第２ＩＰ変換回路１０４に供給され、第２ＩＰ変換回路１０４によって必要に応じて順次走査形式に変換された後、第１ＦＲＣ１０５をバイパスして（フレームレート変換が為されずに）スイッチ２５を経由して第２スケーラ１１２に供給される。第２スケーラ１１２では、上述したような２画面表示に適した縮小スケーリング処理を行う。
【００５７】
一方、フレームレートが５０Ｈｚの第２映像信号は、スイッチ２１を介して第１ＩＰ変換回路１０３に供給され、第１ＩＰ変換回路１０３によって必要に応じて順次走査形式に変換された後、スイッチ２３を介して第１ＦＲＣ１０５に供給される。第１ＦＲＣ１０５では、このＩＰ変換処理された信号を動き補償型のフレームレート変換処理をしてフレームレートを５０Ｈｚから６０Ｈｚに変換する。このフレームレート変換された信号は、スイッチ２４を経由して第１スケーラ１１１に供給される。第１スケーラ１１１では、この動き補償型のフレームレート変換された信号について、上述したような２画面表示に適した縮小スケーリング処理を行う。
【００５８】
各スケーラでスケーリング処理された映像信号は、上記の例と同様にして合成器１１３で合成され、先に述べたような処理で２画面表示される。
【００５９】
この場合は、Ｓｕｂ側の画面には、もともとフレームレートが６０Ｈｚの第１映像信号の映像が表示され、Ｍａｉｎ側の画面には、フレームレートが５０Ｈｚから６０Ｈｚに変換されて動きが滑らかにされた第２映像信号の映像が表示される。
【００６０】
このように、本実施例によれば、入力される映像信号のフレームレート（垂直周波数）が異なる場合は、いずれか一方のフレームレート、すなわち低い方のフレームレートを高い方のフレームレートに合せるように動き補償型のフレームレート変換を行っているので、コストの上昇を抑えつつ、モーションジャダーを低減させた２画面表示を行うことが可能となる。尚、各ＩＰ変換回路は、入力映像信号が既に順次走査形式の場合は、上述の順次走査形式の変換処理は行わないようにすることは、言うまでもない。また、本実施例では、一例として第１映像信号のフレームレートが５０Ｈｚ，第２映像信号のフレームレートが６０Ｈｚの場合を例にして説明したが、これ以外のフレームレートの信号でも適用可能であることは言うまでもない。また、動き補償型のフレームレート変換は、上述の方法以外にも、他の方法も適用され得ることも言うまでもないことである。
【実施例２】
【００６１】
次に、本発明に係る映像表示装置の第２実施例について、図２、図９及び図１０を参照しつつ説明する。本第２実施例が第１実施例と相違する点は、第１スケーラ１１１及び第２スケーラ１１２を第１ＦＲＣ１０５の前段に配置している点である。図２において、図１と同一の符号が付されている要素は同一の機能、動作を持つものとして重複した説明を省略する。
【００６２】
図２において、スイッチ５３は、第１ＦＲＣ１０５からの出力信号と第１ＩＰ変換回路１０３の出力信号とのいずれかを選択して第１スケーラ１１１に供給する。一方、スイッチ５４は、第１ＦＲＣ１０５からの出力信号と第２ＩＰ変換回路１０４の出力信号とのいずれかを選択して第２スケーラ１１２に供給する。第１スケーラ１１１からの出力信号と第２スケーラ１１２からの出力信号は、合成器１１３により合成されて出力される。
【００６３】
スイッチ５５は、３つの接点を備えたスイッチであり、合成器１１３からの出力信号、第１ＩＰ変換回路１０３の出力信号、及び第２ＩＰ変換回路１０４の出力信号のいずれかを選択して出力する。またスイッチ５６は、第１ＦＲＣ１０５からの出力信号と合成器１１３からの出力信号のいずれかを選択して画質補正回路１１４に出力する。
【００６４】
尚、本実施例では、第２ＦＲＣ１１７は省略してあるが、必要に応じ第１実施例と同様に設けてよいことは言うまでもない。
【００６５】
上記スイッチ２１、２２、５３〜５６は、第１実施例と同様にマイコン１０９によって制御される。この制御の様子について、図８及び図９を参照しつつ表示モード毎に以下に説明する。
（１）第１単画面表示モードの動作
この表示モードにおいて、チューナ１０１で受信された第１映像信号のフレームレートが５０Ｈｚである場合について説明する。第１周波数検出部１０６は、チューナ１０１からの映像信号に含まれる同期情報から、第１映像信号にフレームレート（垂直周波数）が５０Ｈｚであると検出する。マイコン１０９は、この第１周波数検出部１０６からの検出情報及び現在の表示モードの種類（この例では第１単画面表示モード）に基づいて、図９に示されたテーブルから適切なテーブルを選択する。図９に示されたテーブルもまた、例えばマイコン１０９に内蔵されたメモリに格納される。この場合は、図９の（ｅ）のテーブルが選択される。マイコン１０９は、テーブル（ｅ）を参照してスイッチ２１、２２、５３〜５６をそれぞれ制御する。すなわち、マイコン１０９は、スイッチ２１、５４及び５６は接点Ａを、スイッチ２２、５３及び５５は接点Ｂを選択するように制御する。このような各スイッチへの制御により、第２ＩＰ変換回路１０４には第１映像信号が供給されない状態となる。また、第２映像信号が入力されている状態でも第２映像信号の映像は表示されないようにするため、追加的に、マイコン１０９によって第２ＩＰ変換回路１０４が非動作状態となるように制御される。
【００６６】
テーブル（ｅ）による各スイッチへの制御の結果、第１映像信号は、スイッチ２１を経由して第１ＩＰ変換回路１０３に供給され、その第１映像信号がインターレース走査形式の場合は第１ＩＰ変換回路１０３によって順次走査形式に変換される。またスイッチ５３は接点Ｂを選択するように制御されているので、第１ＩＰ変換回路１０３からの出力信号は、第１スケーラ１１１に供給され、この第１スケーラ１１１によって表示パネルの精細度に応じたスケーリング処理が施される。一方、スイッチ５４は接点Ａを選択しているので、第２スケーラ１１２には非動作状態の第２ＩＰ変換回路１０４からの出力信号、すなわち０の信号が入力される。よって、第２スケーラ１１２はマイコン１０９の制御によって非動作状態にされる。また、合成器１１３もマイコン１０９の制御によって非動作状態にされるので、第１スケーラ１１１からの出力信号は合成器１１３によって別の信号と合成されずに、スイッチ５５の接点Ｂに出力される。
【００６７】
スイッチ５５は接点Ｂを選択するように制御されているので、第１スケーラ１１１からの出力信号は、スイッチ５５を経由してスイッチ第１ＦＲＣ１０５に入力される。そして、この第１ＦＲＣ１０５によって上述したような動き補償型のフレームレート変換処理が施されて、そのフレームレートが５０Ｈｚから６０Ｈｚに変換される。
【００６８】
スイッチ５６が接点Ａを選択するように制御されているので、上記動き補償型のフレームレート変換処理がされた信号は、スイッチ５６を経由して画質補正回路１１４に供給される。以降の動作は上述したものと同じなので、その説明は省略する。
【００６９】
このような動作により、第１映像信号のみの映像が、動き補償型のフレームレート変換処理により、そのフレームレートが５０Ｈｚから６０Ｈｚに変換されて表示される。
【００７０】
一方、入力された第１映像信号のフレームレートが６０Ｈｚである場合は、第１周波数検出部１０６は、チューナ１０１からの映像信号に含まれる同期情報から、第１映像信号にフレームレート（すなわち垂直周波数）が６０Ｈｚであると検出する。マイコン１０９は、この第１周波数検出部１０６からの検出情報及び現在の表示モードの種類（第１単画面表示モード）から、図９に示されたテーブルから適切なテーブルを選択する。この場合は、図９の（ｆ）のテーブルが選択される。マイコン１０９は、テーブル（ｆ）を参照してスイッチ２１、２２、５３〜５６をそれぞれ制御する。ここで、テーブル（ｆ）がテーブル（ｅ）と異なる点は、スイッチ５６が接点Ｂを選択するように制御される点である。従って、スイッチ５５以前の動作は、第１映像信号のフレームレートが５０Ｈｚの場合と同じであるので、その説明は省略する。尚、この例では、マイコン１０９の制御によって、第１ＦＲＣ１０５は非動作状態にされるとともに、上記の場合と同様に、マイコン１０９によって第２ＩＰ変換回路１０４が非動作状態となるように制御される。
【００７１】
この結果、第１スケーラ１１１からの出力信号は、スイッチ５６が接点Ｂを選択しているので、非動作状態の第１ＦＲＣ１０５をバイパスしてスイッチ５６を経由し、画質補正回路１１４に供給される。以降の動作は上述したものと同じなので、その説明は省略する。
【００７２】
このような動作により、第１映像信号のみの映像が、動き補償型のフレームレート変換処理されずに（つまりフレームレートが６０Ｈｚのまま）表示される。
（２）第２単画面表示モードの動作
この表示モードにおいて、外部映像入力端子１０２に入力された第２映像信号のフレームレートが５０Ｈｚである場合について説明する。第２周波数検出部１０７は、外部映像入力端子１０２からの映像信号に含まれる同期情報から、第２映像信号にフレームレート（垂直周波数）が５０Ｈｚであると検出する。マイコン１０９は、この第２周波数検出部１０７からの検出情報及び現在の表示モードの種類（この例では第２単画面表示モード）に基づいて、図９に示されたテーブルから適切なテーブルを選択する。この場合は、図９の（ｇ）のテーブルが選択される。マイコン１０９は、テーブル（ｇ）を参照してスイッチ２１、２２、５３〜５６をそれぞれ制御する。すなわち、マイコン１０９は、スイッチ２１、５３及び５５は接点Ｂを、スイッチ２２、５４及び５６は接点Ａを選択するように制御する。このような各スイッチへの制御により、第２ＩＰ変換回路１０４には第２映像信号が供給されない状態となる。また、第１映像信号の映像は表示されないようにするため、追加的に、マイコン１０９によって第２ＩＰ変換回路１０４が非動作状態となるように制御される。
【００７３】
テーブル（ｇ）による各スイッチへの制御の結果、第２映像信号は、スイッチ２１を経由して第１ＩＰ変換回路１０３に供給され、その第２映像信号がインターレース走査形式の場合は第１ＩＰ変換回路１０３によって順次走査形式に変換される。またスイッチ５３は接点Ｂを選択するように制御されているので、第１ＩＰ変換回路１０３からの出力信号は、第１スケーラ１１１に供給され、この第１スケーラ１１１によって表示パネルの精細度に応じたスケーリング処理が施される。一方、スイッチ５４は接点Ａを選択しているので、第２スケーラ１１２には非動作状態の第２ＩＰ変換回路１０４からの出力信号、すなわち０の信号が入力される。よって、第２スケーラ１１２はマイコン１０９の制御によって非動作状態にされる。また、合成器１１３もマイコン１０９の制御によって非動作状態にされるので、第１スケーラ１１１からの出力信号は合成器１１３によって別の信号と合成されずに、スイッチ５５の接点Ｂに出力される。
【００７４】
スイッチ５５は接点Ｂを選択するように制御されているので、第１スケーラ１１１からの出力信号は、スイッチ５５を経由してスイッチ第１ＦＲＣ１０５に入力される。そして、この第１ＦＲＣ１０５によって上述したような動き補償型のフレームレート変換処理が施されて、そのフレームレートが５０Ｈｚから６０Ｈｚに変換される。
【００７５】
スイッチ５６が接点Ａを選択するように制御されているので、上記動き補償型のフレームレート変換処理がされた信号は、スイッチ５６を経由して画質補正回路１１４に供給される。以降の動作は上述したものと同じなので、その説明は省略する。
【００７６】
このような動作により、第２映像信号のみの映像が、動き補償型のフレームレート変換処理により、そのフレームレートが５０Ｈｚから６０Ｈｚに変換されて表示される。
【００７７】
一方、入力された第２映像信号のフレームレートが６０Ｈｚである場合は、第２周波数検出部１０７は、外部映像入力端子１０２からの映像信号に含まれる同期情報から、第２映像信号にフレームレート（垂直周波数）が６０Ｈｚであると検出する。マイコン１０９は、この第２周波数検出部１０７からの検出情報及び現在の表示モードの種類（第２単画面表示モード）から、図９に示されたテーブルから適切なテーブルを選択する。この場合は、図９の（ｈ）のテーブルが選択される。マイコン１０９は、テーブル（ｈ）を参照してスイッチ２１、２２、５３〜５６をそれぞれ制御する。ここで、テーブル（ｈ）がテーブル（ｆ）と異なる点は、スイッチ５６が接点Ｂを選択するように制御される点である。従って、スイッチ５５以前の動作は、第２映像信号のフレームレートが５０Ｈｚの場合と同じであるので、その説明は省略する。尚、この例では、マイコン１０９の制御によって、第１ＦＲＣ１０５は非動作状態にされるとともに、上記の場合と同様に、マイコン１０９によって第２ＩＰ変換回路１０４が非動作状態となるように制御される。
【００７８】
この結果、第１スケーラ１１１からの出力信号は、スイッチ５６が接点Ｂを選択しているので、非動作状態の第１ＦＲＣ１０５をバイパスしてスイッチ５６を経由し、画質補正回路１１４に供給される。以降の動作は上述したものと同じなので、その説明は省略する。
【００７９】
このような動作により、第２映像信号のみの映像が、動き補償型のフレームレート変換処理されずに（つまりフレームレートが６０Ｈｚのまま）表示される。
（３）２画面表示モードの動作
次に、第２実施形態における２画面表示モードの動作について説明する。まず、第１映像信号としてフレームレートが５０Ｈｚの映像信号が、第２映像信号としてフレームレートが６０Ｈｚの映像信号が入力されている場合について説明する。
【００８０】
このとき、第１周波数検出回路１０６は、第１映像信号のフレームレートが５０Ｈｚであることを検出し、第２周波数検出回路は、第２映像信号のフレームレートが６０Ｈｚであることを検出する。そしてマイコン１０９は、これら周波数検出回路の検出結果、及び現在の表示モードの種類（ここでは２画面表示モード）に応じて、図１０に示されたテーブルから上段のテーブル（以下、便宜上「上テーブル」と呼ぶ場合もある）を選択する。図１０に示されたテーブルもまた、例えばマイコン１０９に内蔵されたメモリに格納される。マイコン１０９は、上テーブルを参照してスイッチ２１、２２、５３〜５６をそれぞれ制御する。すなわち、マイコン１０９は、スイッチ２２は接点Ａを、スイッチ２１、５３、５４及び５６は接点Ｂを、スイッチ５５は接点Ｃを選択するように制御する。
【００８１】
その結果、フレームレートが５０Ｈｚの第１映像信号は、スイッチ２２を介して第２ＩＰ変換回路１０４に供給され、第２ＩＰ変換回路１０４によって必要に応じて順次走査形式に変換される。スイッチ５５は接点Ｃを選択するように制御されているので、第２ＩＰ変換回路１０４の出力信号は、スイッチ５５の接点Ｃを経由して第１ＦＲＣ１０５に供給される。第１ＦＲＣ１０５では、このＩＰ変換処理された信号を動き補償型のフレームレート変換処理をしてフレームレートを５０Ｈｚから６０Ｈｚに変換する。このフレームレート変換された信号は、スイッチ５４まで戻り、このスイッチ５４の接点Ｂを経由して第２スケーラ１１２に供給される。第２スケーラ１１２では、この動き補償型のフレームレート変換された信号について、２画面表示に適した縮小スケーリング処理を行う。
【００８２】
一方、フレームレートが６０Ｈｚの第２映像信号は、スイッチ２１を介して第１ＩＰ変換回路１０３に供給され、第１ＩＰ変換回路１０３によって必要に応じて順次走査形式に変換された後、スイッチ５３を介して第１スケーラ１１１に供給される。第１スケーラ１１１では、第１ＩＰ変換回路１０３でＩＰ変換された信号について、２画面表示に適した縮小スケーリング処理を行う。
【００８３】
マイコン１０９は、現在の表示モードが２画面表示モードなので、合成器１１３を動作させて、第１スケーラ１１１及び第２スケーラ１１２からの信号を合成するように制御する。よって、各スケーラでスケーリング処理された映像信号は、合成器１１３で合成され、スイッチ５６が接点Ｂを選択するように制御されているので、スイッチ５５を経由せず、スイッチ５６を経由して画像補正回路１１４に供給される。これ以降の動作は先に述べたとおりであり、このような処理で、例えば図５のような２画面表示が為される。
【００８４】
これとは逆に、第１映像信号としてフレームレートが６０Ｈｚの映像信号が、第２映像信号としてフレームレートが５０Ｈｚの映像信号が入力された場合、第１周波数検出回路１０６によって第１映像信号のフレームレートが６０Ｈｚであることを検出し、第２周波数検出回路は、第２映像信号のフレームレートが５０Ｈｚであることを検出する。そしてマイコン１０９は、これら周波数検出回路の検出結果、及び現在の表示モードの種類（２画面表示モード）に応じて、図１０に示されたテーブルから下段のテーブル（以下、便宜上「下テーブル」と呼ぶ場合もある）を選択する。よって、マイコン１０９は、下テーブルを参照してスイッチ２１、２２、５３〜５５をそれぞれ制御する。すなわち、マイコン１０９は、スイッチ２１、５６は接点Ｂを、スイッチ２２、５３〜５５は接点Ａを選択するように制御する。
【００８５】
その結果、フレームレートが６０Ｈｚの第１映像信号は、スイッチ２２を介して第２ＩＰ変換回路１０４に供給され、第２ＩＰ変換回路１０４によって必要に応じて順次走査形式に変換された後、スイッチ５４を介して第２スケーラ１１２に供給される。第２スケーラ１１２では、第２ＩＰ変換回路１０４でＩＰ変換された信号について、２画面表示に適した縮小スケーリング処理を行う。
【００８６】
一方、フレームレートが５０Ｈｚの第２映像信号は、スイッチ２１を介して第１ＩＰ変換回路１０３に供給され、第１ＩＰ変換回路１０３によって必要に応じて順次走査形式に変換される。スイッチ５５は接点Ａを選択するように制御されているので、第２ＩＰ変換回路１０４の出力信号は、スイッチ５５の接点Ａを経由して第１ＦＲＣ１０５に供給される。第１ＦＲＣ１０５では、このＩＰ変換処理された信号を動き補償型のフレームレート変換処理をしてフレームレートを５０Ｈｚから６０Ｈｚに変換する。このフレームレート変換された信号は、スイッチ５３まで戻り、このスイッチ５３の接点Ａを経由して第１スケーラ１１１に供給される。第１スケーラ１１１では、この動き補償型のフレームレート変換された信号について、２画面表示に適した縮小スケーリング処理を行う。
【００８７】
各スケーラでスケーリング処理された映像信号は、上記の例と同様にして合成器１１３で合成され、先に述べたような処理で図５に示されるような２画面表示される。
【００８８】
このように、本発明は、第２実施例で説明されたように、スケーラと第１ＦＲＣ１０５との接続関係を第１実施例と逆にしても適用することが可能である。単画面モードでは、第１または第２映像信号のいずれもスケーラによるスケーリング処理の後に第１ＦＲＣ１０５によるフレームレート変換処理を行うことが可能である。しかしながら、２画面表示モードで第１映像信号と第２映像信号のフレームレートが異なる場合は、互いの周波数を等しくしないと合成器１１３による合成処理ができない。このため、かかる場合は、第１及び第２映像信号のいずれか低いほうのフレームレートを、他方に合わせる様に（すなわち高くするように）第１ＦＲＣ１０５でフレームレート変換した後に、スケーラによるスケーリング処理を施して合成器１１３による合成処理が為される。
【００８９】
このように、本実施例においても、第１実施例と同様に、入力される映像信号のフレームレート（垂直周波数）が異なる場合は、いずれか一方のフレームレート、すなわち低い方のフレームレートを高い方のフレームレートに合せるように動き補償型のフレームレート変換を行っているので、コストの上昇を抑えつつ、モーションジャダーを低減させた２画面表示を行うことが可能となる。
【実施例３】
【００９０】
次に、本発明に係る映像表示装置の第３実施例について、図３及び６を参照しつつ説明する。この第３実施例の回路構成は図１に示した第１実施例をベースとしているが、本実施例は、第１実施例に比べ、音声信号のための回路要素が追加されている点、及び第１ＦＲＣ１０５とは異なるフレームレート変換処理部である第１フレームリピータ７０６及び第２フレームリピータ７０７が追加されている点で異なっている。本実施例において、音声処理のための回路要素は、第１音声信号入力端子７０１に入力される第１映像信号に対応する第１音声信号と、第２音声信号入力端子７０３に入力される第２映像信号に対応する第２音声信号とのいずれかを選択するスイッチ７１と、スイッチ７１で選択された音声信号を処理する音声信号処理回路７０４と、音声信号処理回路７０４で処理された信号を音声として出力するスピーカ７０５を含む。
【００９１】
更にまた、第１ＦＲＣ１０５が、フレームレートを５０Ｈｚから６０Ｈｚに変換するものではなく、２４Ｈｚのフレームレートを持つシネマ信号を６０Ｈｚのフレームレートに変換するものである点で、本実施例は第１実施例と異なっている。更にまた、本実施例では、図３に示されるように、２つの映像入力は共に外部映像入力端子としている。
【００９２】
上記フレームレートが２４Ｈｚのシネマ信号は、ＨＤＭＩを用いて外部映像出力機器と映像表示装置とを接続し、この外部映像出力機器で映画コンテンツを再生した場合に、映像表示装置に入力される。
【００９３】
本実施例では、上記のようなシネマ信号に、３６枚の補間フレームを付加してそのフレームレートを６０Ｈｚに変換するものである。例えばシネマ信号に含まれる２つのオリジナルフレーム列毎に３枚の補間フレームを挿入することにより、６０Ｈｚへのフレームレート変換を行っている。ここで、本実施例では、シネマ信号のフレームレートを２４Ｈｚから６０Ｈｚに変換するためのフレームレート変換処理として、２種類の変換処理を有している。
【００９４】
第１のフレーム変換処理は、第１フレームリピータ７０６及び第２フレームリピータ７０７で実行される処理であり、オリジナルフレームと同じ内容の補間フレームを作成してオリジナルフレーム列に挿入する処理である。例えば、オリジナルフレーム列がフレームＡ、Ｂ、Ｃとなっている場合は、この第１のフレームレート変換モードでは、補間フレームとして各オリジナルフレームと同一の内容を持つ補間フレームＡ１、Ｂ１、Ｂ２、Ｃ１…を作成する。そして、これらをオリジナルフレーム列に加えることにより、Ａ、Ａ１、Ｂ、Ｂ１、Ｂ２、Ｃ、Ｃ１…との配列を有する新たなフレーム列を作成する。換言すれば、第１のフレーム変換処理は、シネマ信号に含まれるオリジナルフレームのうち、あるフレームを２回繰り返し、その直後のフレームを３回繰り返し、さらにその直後のフレームを再び２回繰り返すという処理を行うことで、フレームレートを２４Ｈｚから６０Ｈｚにするものである。換言すれば、かかる第１のフレーム変換処理は、従来からよく知られているテレシネ変換処理である。尚、以下では、この第１のフレームレート変換処理をフレームリピートと称する。
【００９５】
第２のフレームレート変換処理は、第１ＦＲＣ１０５で実行される処理であり、上記第１実施例で説明した動き補償型のフレームレート変換処理である。すなわち、かかる変換処理は、オリジナルフレームの複数のフレームから映像の動きに応じて新たな補間画素を作成して補間フレームを作成し、これをオリジナルフレームに挿入する処理である。例えば、オリジナルフレーム列がフレームＡ、Ｂ、Ｃとなっている場合は、この第２のフレームレート変換モードでは、補間フレームとして、複数（例えば２つの）オリジナルフレームから動きを考慮して作成された補間フレームａ１、ｂ１、ｂ２、ｃ１…を作成する。そして、これらをオリジナルフレーム列に加えることにより、例えばＡ、ａ１、Ｂ、ｂ１、ｂ２、Ｃ、ｃ１…との配列を有する新たなフレーム列を作成する。第２のフレームレート変換処理は、フレームリピートと比べ、動きのガタガタ感を低減させて動きを滑らかにすることができる。また、第２のフレームレート変換処理は、映像の動きを検出して補間フレームを作成するためにフレームリピートよりも複雑な処理をする必要があり、このため、第１ＦＲＣ１０５はフレームリピータ７０６及び７０７よりも高価となる。以下、この第２のフレームレート変換処理を、ＭＦＲＣと称する。
【００９６】
そして、本実施例は、２画面表示モードにおいて、第１映像入力端子７００に入力された第１映像信号、及び第２映像入力端子７０２に入力された第２映像信号のうち、いずれかＭａｉｎ映像として表示する映像信号について上記のＭＦＲＣを施し、更にその映像信号に対応する音声を出力するものである。以下にその詳細について説明するが、先ず、単画面モードの動作を簡単に説明する。尚、以下の説明では、第１映像信号及び第２映像のいずれもシネマ信号とする。
（１）単画面表示モードの動作
単画面表示モードには、第１映像入力端子７００に入力された第１映像信号のみを全画面に表示する場合と、第２映像入力端子７０２に入力された第２映像信号のみを全画面に表示する場合があるが、ここでは、これらを纏めて説明する。
【００９７】
前者の場合は、マイコン１０９は図７のテーブル（ａ）を選択して参照し、スイッチ２１〜２５を制御する。ここでの動作は、先に説明したテーブル（ａ）の動作と同じであるため、繰り返しの説明は省略する。但し、本実施例では、第１ＩＰ変換回路１０３とスイッチ２４との間にフレームリピータ７０６が挿入されているので、第１ＩＰ変換回路１０３からの出力信号は、第１フレームリピータ７０６によって上述したフレームリピートが為された後に、第１スケーラ１１１によってスケーリング処理される。
【００９８】
このようにして、フレームレートが２４Ｈｚの第１映像信号は、そのフレームレートが６０Ｈｚに変換されて表示画面全面に表示される。また、マイコン１０９は、スイッチ７１が接点Ａを選択するよう制御する。このため、第１映像信号に対応する第１音声信号がスイッチ７１により選択され、音声処理回路７０４を経由してスピーカ７０５から出力される。
【００９９】
後者の場合は、マイコン１０９は図７のテーブル（ｃ）を選択して参照し、スイッチ２１〜２５を制御する。ここでの動作は、先に説明したテーブル（ｃ）の動作と同じであるため、繰り返しの説明は省略する。但し、本実施例では、第１ＩＰ変換回路１０３とスイッチ２４との間に第１フレームリピータ７０６が挿入されているので、上記と同様に、第１ＩＰ変換回路１０３からの出力信号は、フレームリピータ７０６によって上述したフレームリピートが為された後に、第１スケーラ１１１によってスケーリング処理される。
【０１００】
このようにして、フレームレートが２４Ｈｚの第２映像信号は、そのフレームレートが６０Ｈｚに変換されて表示画面全面に表示される。また、マイコン１０９は、スイッチ７１が接点Ｂを選択するよう制御する。このため、第２映像信号に対応する第２音声信号がスイッチ７１により選択され、音声処理回路７０４を経由してスピーカ７０５から出力される。
【０１０１】
ここで、マイコン１０９によるテーブルの選択は、リモコン装置１０８の入力切替ボタン１０８１に連動して為されるようにしてもよい。例えば、入力切替ボタン１０８１を一回押したら、ユーザは第１映像信号を単画面表示するものとしてマイコン１０９はテーブル（ａ）を、２回押したらユーザは第２映像信号を単画面表示するものとしてマイコン１０９はテーブル（ｃ）を選択する。
（２）２画面表示モードの動作
続いて、２画面表示モードの動作について図６を併用しつつ説明する。第１または第２の単画面表示モード時に図４に示されたリモコン１０８の２画面ボタン１０８７が押されると、表示モードを第１または第２の単画面表示モードから２画面表示モードに移行される。ここで、第１映像信号及び第２映像信号のいずれも、フレームレートが２４Ｈｚのシネマ信号が入力されているものとする。また、２画面ボタン１０８７が一回押されたら第１映像信号がＭａｉｎ画面で第２映像信号がＳｕｂ画面、二回押されたら第２映像信号がＭａｉｎ画面で第１映像信号がＳｕｂ画面となるものとする。
【０１０２】
２画面ボタン１０８７が一回押されたとき、すなわち第１映像信号がＭａｉｎ画面で第２映像信号がＳｕｂ画面とするときは、マイコン１０９は図８の上テーブルを選択して参照する。よって、このときの動作は先に述べた図８の上テーブルの動作と同じであるので、第１映像信号に対しては、第１ＦＲＣ１０５でＭＦＲＣが施される。但し、本実施例では、第１ＩＰ変換回路１０３とスイッチ２４との間に第１フレームリピータ７０６が挿入されているので、第１ＩＰ変換回路１０３からの出力信号、すなわちＩＰ変換処理された第２映像信号は、第１フレームリピータ７０６によってフレームリピートが為される。
【０１０３】
従って、例えば図６の左側にあるＰｉｎＰモードにおいて、親画面（Ｍａｉｎ画面）には第１ＦＲＣ１０５でＭＦＲＣが施されてフレームレートが６０Ｈｚに変換された第１映像信号の映像が表示され、他方、子画面であるＳｕｂ画面には第１フレームリピータ７０６でフレームリピートされたフレームレートが６０Ｈｚに変換された第２映像信号の映像が表示される。このとき、スイッチ７１は、第１映像信号がＭａｉｎ画面として選択されているので、第１映像信号に対応する第１音声信号に基づき音声出力するために、接点Ａを選択する。かかるスイッチ７１における選択は、マイコン１０９によって制御される。この選択された第１音声信号は音声信号処理回路７０４に入力され、各種音声信号処理が施されてスピーカ７０５に出力される。このとき、Ｍａｉｎ画面には、そのＭａｉｎ画面の映像の音声が出力することを示すアイコン１５０が示される。
【０１０４】
ここで、例えばユーザがリモコン１０８の２画面ボタン１０８７を再度押すと、Ｍａｉｎ画面とＳｕｂ画面を入れ替えるようにする。このとき、マイコン１０９は図８の下テーブルを選択して参照する。よって、このときの動作は先に述べた図８の下テーブルの動作と同じであるので、第２映像信号に対しては、第１ＦＲＣ１０５でＭＦＲＣが施される。但し、本実施例では、第２ＩＰ変換回路１０４とスイッチ２５との間に第２フレームリピータ７０７が挿入されているので、第２ＩＰ変換回路１０４からの出力信号、すなわちＩＰ変換処理された第１映像信号は、第２フレームリピータ７０７によってフレームリピートが為される。
【０１０５】
従って、例えば図６の左側にあるＰｉｎＰモードにおいて、親画面（Ｍａｉｎ画面）には第１ＦＲＣ１０５でＭＦＲＣが施されてフレームレートが６０Ｈｚに変換された第２映像信号の映像が表示され、他方、子画面であるＳｕｂ画面には第２フレームリピータ７０７でフレームリピートされたフレームレートが６０Ｈｚに変換された第１映像信号の映像が表示される。このとき、スイッチ７１は、第２映像信号がＭａｉｎ画面として選択されているので、第２映像信号に対応する第２音声信号に基づき音声出力するために、接点Ｂを選択する。かかるスイッチ７１における選択は、マイコン１０９によって制御される。この選択された第２音声信号は音声信号処理回路７０４に入力され、各種音声信号処理が施されてスピーカ７０５に出力される。このとき、Ｍａｉｎ画面には、そのＭａｉｎ画面の映像の音声が出力することを示すアイコン１５０が示される。
【０１０６】
当然、Ｓｕｂ画面の映像信号に対してＭＦＲＣを施してもよい。この場合は、ＭＦＲＣが施された映像信号に対応する音声を出力するようにする。例えば第２映像信号に対してＭＦＲＣを施してＳｕｂ画面に表示し、第１映像信号に対してフレームリピートを施す場合は、スイッチ２１、２４及び２５は接点Ａを、スイッチ２２及び２３は接点Ｂを選択するようにマイコン１０９により制御する。この場合、Ｍａｉｎ画面に表示される第１映像信号が第１ＩＰ変換回路１０３でＩＰ変換処理された後に、第１フレームリピータ７０６でフレームリピートされる。一方、Ｓｕｂ画面に表示される第２映像信号が第２ＩＰ変換回路１０４でＩＰ変換処理され、第１ＦＲＣ１０５でＭＦＲＣが施される。
【０１０７】
これによって、Ｍａｉｎ画面にはフレームリピートされた第１映像信号が、Ｓｕｂ画面にはＭＦＲＣが施された第２映像信号が表示される。このとき、スイッチ７１は接点Ｂを選択するように制御される。従って、スピーカからは、Ｓｕｂ画面に表示された第２映像信号に対応する第２音声信号が出力される。この場合、Ｓｕｂ画面の領域内にアイコン１５０が表示される。
【０１０８】
第１映像信号に対してＭＦＲＣを施してＳｕｂ画面に表示し、第２映像信号に対してフレームリピートを施す場合は、スイッチ２１及び２３は接点Ｂを、スイッチ２２、２４及び２５は接点Ａを選択するようにマイコン１０９により制御する。この場合、Ｍａｉｎ画面に表示される第２映像信号が第１ＩＰ変換回路１０３でＩＰ変換処理された後に、第１フレームリピータ７０６でフレームリピートされる。一方、Ｓｕｂ画面に表示される第１映像信号が第２ＩＰ変換回路１０４でＩＰ変換処理され、第１ＦＲＣ１０５でＭＦＲＣが施される。
【０１０９】
これによって、Ｍａｉｎ画面にはフレームリピートされた第２映像信号が、Ｓｕｂ画面にはＭＦＲＣが施された第１映像信号が表示される。このとき、スイッチ７１は接点Ａを選択するように制御される。従って、スピーカからは、Ｓｕｂ画面に表示された第１映像信号に対応する第１音声信号が出力される。この場合も、Ｓｕｂ画面の領域内にアイコン１５０が表示される。
【０１１０】
本実施例の２画面表示モードにおける各スイッチの制御テーブルの一例が図１１に示される。本実施例は、この図１１のテーブルのうち、Ｍａｉｎ画面／Ｓｕｂ画面に表示したい映像信号と、音声を出力したい映像信号との組み合わせ応じて最適なテーブルが決定されるように構成されている。
【０１１１】
Ｍａｉｎ画面とＳｕｂ画面の映像入れ替えは、２画面ボタン１０８７を押すのではなく、例えば方向キー１０８４でカーソルを子画面（Ｓｕｂ画面）の位置に合わせ、決定ボタン１０８３を押すことによって行ってもよい。更に、方向キー１０８４でカーソルを子画面（Ｓｕｂ画面）の位置に合わせ、決定ボタン１０８３を押した場合、映像を入れ替えずに、Ｓｕｂ画面の映像に対応する音声を出力するようにしてもよい。この場合、アイコン１５０は、Ｓｕｂ画面の領域内に表示する。
【０１１２】
図６の右側に示された並列表示モードも、上述したＰｉｎＰモードの場合と同様である。但し、並列表示モードの場合は、図６に示されるように、アイコン１５０は表示画面の情報に位置する黒帯の部分に表示するようにしてもよい。また、この場合も、左右の画面のうち方向キー１０８４及び決定ボタン１０８３で選択され決定された画面の映像の音声を出力するようにしてもよい。当然、このときは、音声を出力する映像の近傍にアイコン１５０を表示する。例えばＳｕｂ映像の映像に対応する音声を出力する場合は、Ｓｕｂ画面の真上にアイコン１５０を表示させる。
【０１１３】
このような構成によれば、音声を出力する映像、すなわち２つの画面のうちユーザが主として視聴したい方の映像に対して動き補償型のフレームレート変換を行うので、ユーザは、２画面表示モードの場合でも動きが滑らかな映像を視聴することが可能となり、また、それを低コストで行うことが可能となる。
【０１１４】
上述した実施形態では、入力映像信号のフレームレートが５０Ｈｚ、６０Ｈｚ、２４Ｈｚの場合を例にして説明したが、他のフレームレートの信号にも同様に適用可能である。また、第２、第３実施例では、第２ＦＲＣ１１７を設けていないが、必要に応じ設けてもよいことは明らかである。
【産業上の利用可能性】
【０１１５】
本発明は、フレームレートが異なる２種類以上の映像信号に対応する映像を、一画面上に同時に表示する場合に利用され得るものであり、特に、かかる場合において、少なくともいずれか一つの映像の動きを滑らかに表示したい場合に有用である。
【図面の簡単な説明】
【０１１６】
【図１】本発明に係る映像表示装置の第１実施例の回路ブロックを示す図。
【図２】本発明に係る映像表示装置の第２実施例の回路ブロックを示す図。
【図３】本発明に係る映像表示装置の第３実施例の回路ブロックを示す図。
【図４】本実施形態の映像表示装置に用いられるリモコンの一例を示す図。
【図５】第１及び２実施例による２画面表示モードにおける表示画面の一例を示す図。
【図６】第３実施例による２画面表示モードにおける表示画面の一例を示す図。
【図７】第１実施例で単画面表示モードの場合におけるスイッチの切換の一例を示す図。
【図８】第１実施例で２画面表示モードの場合におけるスイッチの切換の一例を示す図。
【図９】第２実施例で単画面表示モードの場合におけるスイッチの切換の一例を示す図。
【図１０】第２実施例で２画面表示モードの場合におけるスイッチの切換の一例を示す図。
【図１１】第３実施例で２画面表示モードの場合におけるスイッチの切換の一例を示す図。
【符号の説明】
【０１１７】
１００：アンテナ
１０１：チューナ
１０２：外部映像入力端子
１０３：Ｍａｉｎ入力側のＩＰ変換機能
１０４：Ｓｕｂ入力側のＩＰ変換機能
１０５：高画質フレームレート変換機能
１０６：の周波数検出機能
１０７：の周波数検出機能
１０８：リモコン
１０９：マイコン
１１０：リモコン受光機能
１１１：Ｍａｉｎ入力側のスケーラ
１１２：Ｓｕｂ入力側のスケーラ
１１３：足し算機能
１１４：画質補正機能
１１５：パネル駆動機能
１１６：映像表示装置
１１７：第２の高画質フレームレート変換機能
１５０：音声出力側を示すアイコン
７００：映像入力端子１
７０１：音声入力端子１
７０２：映像入力端子２
７０３：音声入力端子２
７０４：音声信号処理機能
７０５：スピーカ
７０６：第１のフレームリピータ
７０７：第２のフレームリピータ
１０８０：電源ボタン
１０８１：入力切替ボタン
１０８２：数字ボタン
１０８３：決定ボタン
１０８４：カーソルボタン
１０８５：音量ＵＰ／ＤＯＷＮボタン
１０８６：キャンセルボタン
１０８７：２画面表示ボタン
１０８８：チャンネルＵＰ／ＤＯＷＮボタン
【図１】
2009111936.tif 000003
【図２】
2009111936.tif 000004
【図３】
2009111936.tif 000005
【図４】
2009111936.tif 000006
【図５】
2009111936.tif 000007
【図６】
2009111936.tif 000008
【図７】
2009111936.tif 000009
【図８】
2009111936.tif 000010
【図９】
2009111936.tif 000011
【図１０】
2009111936.tif 000012
【図１１】
2009111936.tif 000013